【事件の表示】
　平成１０年商標登録願第６７４７３号拒絶査定に対する審判事件について、次のとおり審決する。
【結　論】
　原査定を取り消す。
　本願商標は、登録すべきものとする。
【理　由】
１．本願商標
　本願商標は、「でんわぷらす」の文字を標準文字として、第９類「写真機械器具，映画機械器具，光学機械器具，電気通信機械器具，レコード，電子応用機械器具及びその部品，遊園地用機械器具，映写フィルム，スライドフィルム，スライドフィルム用マウント，録画済みビデオディスク及びビデオテープ，家庭用テレビゲームおもちゃ」を指定商品として、平成１０年８月６日に登録出願されたものである。
　
２．引用商標
　原査定において、商標法第４条第１項第１１号に該当するという本願商標の拒絶の理由に引用された登録商標は、以下のとおりである。
（１）第３９９００７号商標は、「Ｐｌｕｓ」の欧文字と「プラス」の片仮名文字を上下二段に書してなり、第１７類「銀行小切手及証券面の金高を印刷又は記入する機械、その他本類に属する商品、但し裁縫機、及びその類似品を除く」を指定商品として、昭和２３年７月３０日に登録出願、同２６年５月２８日に設定登録され、その後、４回に亘り商標権の存続期間の更新登録がなされ、該登録に係る権利は、現に有効に存続しているものである。
（２）第４７４５３１号商標は、「プラス」の片仮名文字を書してなり、第６６類「学習用地図、その他本類に属する商品」を指定商品として、昭和３０年３月１７日に登録出願、同３０年１２月１５日に設定登録され、その後、３回に亘り商標権の存続期間の更新登録がなされ、該登録に係る権利は、現に有効に存続しているものである。
（３）第４９７２４１号商標は、「プラス」の片仮名文字を書してなり、第２２類「楽器、蓄音機並にその各部及び附属品」を指定商品として、昭和３１年６月１３日に登録出願、同３２年３月５日に設定登録され、その後、３回に亘り商標権の存続期間の更新登録がなされ、該登録に係る権利は、現に有効に存続しているものである。
（４）第５３８５７０号商標は、左右が切れた円輪郭の中に「Ｐｌｕｓ」の欧文字を書してなり、第１７類「原動機、化学機械、金属加工機、農業機械、鉱山機械、繊維機械、印刷事務機械、べん、活栓、調車、歯車、滑車、軸、軸承、金属製球、蛇管、調帯、パツキング、消火器、噴霧器、警報機、金属物屈彎機械、移車台機、信号機、転轍器、金属製機械マツチ、戸の開閉を静かにする器具、洗濯機、洗滌機、掃除機、冷蔵函、冷蔵庫、罐詰機、壜詰機、飲食物製造機、製茶機械、その他の産業機械」を指定商品として、昭和３２年１２月１９日に登録出願、同３４年７月３日に設定登録され、その後、３回に亘り商標権の存続期間の更新登録がなされ、該登録に係る権利は、現に有効に存続しているものである。
（５）第５８０４３５号商標は、「Ｐｌｕｓ」の欧文字を書してなり、第１８類「理化学、医術、測定、写真、教育用の器械器具、眼鏡及び算数器の類並にその各部」を指定商品として、昭和３２年１０月１６日に登録出願、同３６年９月２０日に設定登録され、その後、同５２年１月１７日に無効審判の請求により指定商品中、「フイルム及びその類似商品」の一部無効の確定登録されたものである。また、２回に亘り商標権の存続期間の更新登録がなされ、該登録に係る権利は、現に有効に存続しているものである。
（６）第６４４１８７号商標は、左右が切れた円輪郭の中に「Ｐｌｕｓ」の欧文字を書してなり、第２４類「おもちや、日本人形、西洋人形、マネキン人形、洋服飾り型、娯楽用具、運動具、釣り具」を指定商品として、昭和３７年１２月５日に登録出願、同３９年６月５日に設定登録され、その後、３回に亘り商標権の存続期間の更新登録がなされ、該登録に係る権利は、現に有効に存続しているものである。
（７）第６４８１７９号商標は、「プラス」の片仮名文字を書してなり、第２４類「おもちや、日本人形、西洋人形、マネキン人形、洋服飾り型、娯楽用具、運動具、釣り具」を指定商品として、昭和３７年１２月５日に登録出願、同３９年７月２１日に設定登録され、その後、３回に亘り商標権の存続期間の更新登録がなされ、該登録に係る権利は、現に有効に存続しているものである。
（８）第１１４４４９４号商標は、波状の図形の上に「ＰＬＵＳ」の欧文字を書してなり、第１０類「理化学機械器具（電子応用機械器具に属するものを除く）光学機械器具（電子応用機械器具に属するものを除く）写真機械器具、映画機械器具、測定機械器具（電子応用機械器具に属するもの及び電気磁気測定器を除く）、医療機械器具、これらの部品及び附属品（他の類に属するものを除く）、写真材料」を指定商品として、昭和４７年７月２５日に登録出願、同５０年８月１５日に設定登録され、その後、２回に亘り商標権の存続期間の更新登録がなされ、該登録に係る権利は、現に有効に存続しているものである。
（９）第１２０８６１５号商標は、波状の図形の上に「ＰＬＵＳ」の欧文字を書してなり、第２６類「印刷物（文房具類に属するものを除く）書画、彫刻、写真、これらの附属品」を指定商品として、昭和４７年７月２５日に登録出願、同５１年７月１２日に設定登録され、その後、２回に亘り商標権の存続期間の更新登録がなされ、該登録に係る権利は、現に有効に存続しているものである。
（１０）第１３７８１２７号商標は、波状の図形の上に「ＰＬＵＳ」の欧文字を書してなり、第９類「産業機械器具、動力機械器具（電動機を除く）風水力機械器具、事務用機械器具（電子応用機械器具に属するものを除く）その他の機械器具で他の類に属しないもの、これらの部品および付属品（他の類に属するものを除く）機械要素、ただし、紡績用管、織機のボビン及び緯管並びに農工器具及びこれ等に類似する商品を除く」を指定商品として、昭和４７年７月２５日に登録出願、同５４年４月２７日に設定登録されたものであるが、その後、該登録に係る権利は、平成１１年４月２７日に存続期間満了により消滅し、平成１２年１月１９日にその抹消登録がなされたものである。
（１１）第１３７８１２８号商標は、波状の図形の上に「ＰＬＵＳ」の欧文字を書してなり、第９類「産業機械器具、動力機械器具（電動機を除く）風水力機械器具、事務用機械器具（電子応用機械器具に属するものを除く）その他の機械器具で他の類に属しないもの、これらの部品及び附属品（他の類に属するものを除く）機械要素、ただし、紡績用管、織機のボビン及び緯管並びに農工器具、及びこれ等に類似する商品を除く」を指定商品として、昭和４７年７月２５日に登録出願、同５４年４月２７日に設定登録され、その後、２回に亘り商標権の存続期間の更新登録がなされ、該登録に係る権利は、現に有効に存続しているものである。
（１２）第１３７８１２９号商標は、波状の図形の左隣りに「ＰＬＵＳ」の欧文字を書してなり、第９類「産業機械器具、動力機械器具（電動機を除く）風水力機械器具、事務用機械器具（電子応用機械器具に属するものを除く）その他の機械器具で他の類に属しないもの、これらの部品および附属品（他の類に属するものを除く）機械要素、ただし、紡績用管、織機のボビン及び緯管並びに農工器具、及びこれ等に類似する商品を除く 」を指定商品として、昭和４７年７月２５日に登録出願、同５４年４月２７日に設定登録されたものであるが、その後、該登録に係る権利は、平成１１年４月２７日に存続期間満了により消滅し、平成１２年１月１９日にその抹消登録がなされたものである。
（１３）第１３８５１０６号商標は、波状の図形の上に「ＰＬＵＳ」の欧文字を書してなり、第２４類「おもちや、人形、娯楽用具、運動具、釣り具、並びにこれらの部品及び附属品」を指定商品として、昭和４９年８月５日に登録出願、同５４年７月３１日に設定登録され、その後、２回に亘り商標権の存続期間の更新登録がなされ、該登録に係る権利は、現に有効に存続しているものである。
（１４）第１５２２２５６号商標は、「ＰＬＵＳ」の欧文字を書してなり、第１０類「理化学機械器具、光学機械器具、映画機械器具、測定機械器具、医療機械器具」を指定商品として、昭和５２年８月９日に登録出願、同５７年６月２９日に設定登録され、その後、平成４年７月２９日に商標権の存続期間の更新登録がなされ、該登録に係る権利は、現に有効に存続しているものである。
（１５）第１５３２７７７号商標は、「ＰＬＵＳ」の欧文字を書してなり、第２４類「おもちや、人形、娯楽用具、運動具、釣り具」を指定商品として、昭和５２年８月９日に登録出願、同５７年８月２７日に設定登録され、その後、平成４年１０月２９日に商標権の存続期間の更新登録がなされ、該登録に係る権利は、現に有効に存続しているものである。
（１６）第１５４３１４６号商標は、「ＰＬＵＳ」の欧文字を書してなり、第９類「産業機械器具、動力機械器具（電動機を除く）、風水力機械器具、事務用機械器具（電子応用機械器具に属するものを除く）その他の機械器具で他の類に属しないもの、これらの部品及び附属品（他の類に属するものを除く）機械要素」を指定商品として、昭和５２年８月９日に登録出願、同５７年１０月２７日に設定登録され、その後、平成５年１月２８日に商標権の存続期間の更新登録がなされ、該登録に係る権利は、現に有効に存続しているものである。
（１７）第１５６４２０１号商標は、「ＰＬＵＳ」の欧文字を書してなり、第２６類「印刷物（文房具類に属するものを除く）書画、彫刻、写真、これらの附属品」を指定商品として、昭和５３年１２月２６日に登録出願、同５８年１月２８日に設定登録され、その後、平成５年１月２８日に商標権の存続期間の更新登録がなされ、該登録に係る権利は、現に有効に存続しているものである。
（１８）第１５９０６１２号商標は、「プラス」の片仮名文字を書してなり、第９類「産業機械器具、動力機械器具（電動機を除く）、風水力機械器具、事務用機械器具（電子応用機械器具に属するものを除く）その他の機械器具で他の類に属しないもの、これらの部品及び附属品（他の類に属するものを除く）機械要素」を指定商品として、昭和５４年１２月３日に登録出願、同５８年５月２６日に設定登録され、その後、平成５年７月２９日に商標権の存続期間の更新登録がなされ、該登録に係る権利は、現に有効に存続しているものである。
（１９）第１６２９２５５号商標は、「ＰＬＵＳ」の欧文字を書してなり、第１１類「電気機械器具、電気通信機械器具、電子応用機械器具（医療機械器具に属するものを除く）」を指定商品として、昭和５５年１０月１５日に登録出願、同５８年１０月２７日に設定登録され、その後、平成５年１０月２８日に商標権の存続期間の更新登録がなされ、該登録に係る権利は、現に有効に存続しているものである。
（２０）第１６２９２５６号商標は、波状の図形の上に「ＰＬＵＳ」の欧文字を書してなり、第１１類「電気機械器具、電気通信機械器具、電子応用機械器具（医療機械器具に属するものを除く）」を指定商品として、昭和５５年１０月１５日に登録出願、同５８年１０月２７日に設定登録され、その後、平成５年１０月２８日に商標権の存続期間の更新登録がなされ、該登録に係る権利は、現に有効に存続しているものである。
（２１）第１６２９２５７号商標は、「プラス」の片仮名文字を書してなり、第１１類「電気機械器具、電気通信機械器具、電子応用機械器具（医療機械器具に属するものを除く）」を指定商品として、昭和５５年１０月１５日に登録出願、同５８年１０月２７日に設定登録され、その後、平成５年１０月２８日に商標権の存続期間の更新登録がなされ、該登録に係る権利は、現に有効に存続しているものである。
（２２）第１６５０５１２号商標は、「プラス」の片仮名文字を書してなり、第１０類「理化学機械器具（電子応用機械器具に属するものを除く）光学機械器具（電子応用機械器具に属するものを除く）映画機械器具、測定機械器具（電子応用機械器具に属するもの及び電気磁気測定器を除く）医療機械器具、これらの部品及び附属品（他の類に属するものを除く）」を指定商品として、昭和５４年１２月３日に登録出願、同５９年１月２６日に設定登録され、その後、平成６年１月２８日に商標権の存続期間の更新登録がなされ、該登録に係る権利は、現に有効に存続しているものである。
（２３）第１７５５１０９号商標は、「プラス」の片仮名文字を書してなり、第２６類「印刷物（文房具類に属するものを除く）書画、彫刻、写真、これらの附属品」を指定商品として、昭和５７年９月１６日に登録出願、同６０年３月２５日に設定登録され、その後、平成７年２月２７日に商標権の存続期間の更新登録がなされ、該登録に係る権利は、現に有効に存続しているものである。
（２４）第１７８８８３０号商標は、「プラス」の片仮名文字を書してなり、第２４類「おもちや、人形、娯楽用具、運動具、釣り具」を指定商品として、昭和５７年９月１６日に登録出願、同６０年７月２９日に設定登録され、その後、平成７年９月２８日に商標権の存続期間の更新登録がなされ、該登録に係る権利は、現に有効に存続しているものである。
（２５）第１８０６４７４号商標は、えんぴつを持ったふくろうの様な図形の羽の部分に、「ＰＬＵＳ」の欧文字を書してなり、第２６類「印刷物（文房具類に属するものを除く）書画、彫刻、写真、これらの附属品」を指定商品として、昭和５７年８月２日に登録出願、同６０年９月２７日に設定登録され、その後、平成７年８月３０日に商標権の存続期間の更新登録がなされ、該登録に係る権利は、現に有効に存続しているものである。
（２６）第１８２２７４１号商標は、えんぴつを持ったふくろうの様な図形の羽の部分に、「ＰＬＵＳ」の欧文字を書してなり、第９類「産業機械器具、動力機械器具（電動機を除く）風水力機械器具、事務用機械器具（電子応用機械器具に属するものを除く）その他の機械器具で他の類に属しないもの、これらの部品および附属品（他の類に属するものを除く）機械要素」を指定商品として、昭和５７年８月２日に登録出願、同６０年１１月２９日に設定登録され、その後、平成７年１０月３０日に商標権の存続期間の更新登録がなされ、該登録に係る権利は、現に有効に存続しているものである。
（２７）第１８７１８８７号商標は、「ＰＬＵＳ」の欧文字を書してなり、第２６類「印刷物（文房具類に属するものを除く）書画、彫刻、写真、これらの附属品」を指定商品として、昭和５９年６月１６日に登録出願、同６１年６月２７日に設定登録され、その後、平成８年５月３０日に商標権の存続期間の更新登録がなされ、該登録に係る権利は、現に有効に存続しているものである。
（２８）第１８８６４３０号商標は、えんぴつを持ったふくろうの様な図形の羽の部分に、「ＰＬＵＳ」の欧文字を書してなり、第１０類「理化学機械器具（電子応用機械器具に属するものを除く）光学機械器具（電子応用機械器具に属するものを除く）映画機械器具、測定機械器具（電子応用機械器具に属するものおよび電気磁気測定器を除く）これらの部品および附属品（他の類に属するものを除く）」を指定商品として、昭和５７年８月２日に登録出願、同６１年８月２８日に設定登録され、その後、平成８年１１月２８日に商標権の存続期間の更新登録がなされ、該登録に係る権利は、現に有効に存続しているものである。
（２９）第１９１３１２６号商標は、「プラス」の片仮名文字を書してなり、第１０類「理化学機械器具（電子応用機械器具に属するものを除く）光学機械器具（電子応用機械器具に属するものを除く）映画機械器具、測定機械器具（電子応用機械器具に属するものおよび電気磁気測定器を除く）医療機械器具、これらの部品および附属品（他の類に属するものを除く）」を指定商品として、昭和５７年９月１６日に登録出願、同６１年１１月２７日に設定登録され、その後、平成８年１０月３０日に商標権の存続期間の更新登録がなされ、該登録に係る権利は、現に有効に存続しているものである。
（３０）第１９２３２７３号商標は、「ＰＬＵＳ」の欧文字を書してなり、第９類「産業機械器具、動力機械器具（電動機を除く）風水力機械器具、事務用機械器具（電子応用機械器具に属するものを除く）その他の機械器具で他の類に属しないもの、これらの部品および附属品（他の類に属するものを除く）機械要素」を指定商品として、昭和５９年６月１６日に登録出願、同６１年１２月２４日に設定登録され、その後、平成８年１０月３０日に商標権の存続期間の更新登録がなされ、該登録に係る権利は、現に有効に存続しているものである。
（３１）第２０２１４９３号商標は、「ＰＬＵＳ」の欧文字を書してなり、第１０類「理化学機械器具（電子応用機械器具に属するものを除く）光学機械器具（電子応用機械器具に属するものを除く）映画機械器具、測定機械器具（電子応用機械器具に属するものおよび電気磁気測定器を除く）医療機械器具、これらの部品および附属品（他の類に属するものを除く）」を指定商品として、昭和５９年６月１６日に登録出願、同６３年２月２２日に設定登録され、その後、平成１０年２月１０日に商標権の存続期間の更新登録がなされ、該登録に係る権利は、現に有効に存続しているものである。
（３２）第２３６０９８５号商標は、「ＰＬＵＳ」の欧文字を書してなり、第２４類「おもちや、人形、娯楽用具、運動具、釣り具、これらの部品及び附属品」を指定商品として、昭和５９年６月１６日に登録出願、平成３年１２月２５日に設定登録されたものである。
（３３）第２３６０９８６号商標は、十字架状輪郭内に「ＰＬＵＳ」の欧文字を書してなり、第２４類「おもちや、人形、娯楽用具、運動具、釣り具、これらの部品及び附属品」を指定商品として、昭和６３年７月１５日に登録出願、平成３年１２月２５日に設定登録されたものである。
（３４）第２４０５４６４号商標は、えんぴつを持ったふくろうの様な図形の羽の部分に「ＰＬＵＳ」の欧文字を書してなり、第１１類「電気機械器具、電気通信機械器具、電子応用機械器具（医療機械器具に属するものを除く）」を指定商品として、昭和５７年８月２日に登録出願、平成４年４月３０日に設定登録されたものである。
（３５）第２４１９２４６号商標は、「ＰＬＵＳ」の欧文字を書してなり、第１０類「写真機械器具、写真材料」を指定商品として、平成２年２月１９日に登録出願、同４年５月２９日に設定登録されたものである。
（３６）第２４９００９７号商標は、「ＰＬＵＳ」の欧文字を書してなり、第１０類「写真機械器具、写真材料」を指定商品として、平成２年１０月８日に登録出願、同４年１２月２５日に設定登録されたものである。
（３７）第２５１３１１７号商標は、「プラス」の片仮名文字を縦書きしてなり、第１１類「電気機械器具、電気通信機械器具、電子応用機械器具（医療機械器具に属するものを除く）電気材料」を指定商品として、昭和５９年６月１６日に登録出願、平成５年３月３１日に設定登録されたものである。
（３８）第２５１３１１８号商標は、「ＰＬＵＳ」の欧文字を書してなり、第１１類「電気機械器具、電気通信機械器具、電子応用機械器具（医療機械器具に属するものを除く）電気材料」を指定商品として、昭和５９年６月１６日に登録出願、平成５年３月３１日に設定登録されたものである。
（３９）第２５１３１１９号商標は、十字の図形の下に「ＰＬＵＳ」の欧文字を書してなり、第１１類「電気機械器具、電気通信機械器具、電子応用機械器具（医療機械器具に属するものを除く）電気材料」を指定商品として、昭和５９年６月１６日に登録出願、平成５年３月３１日に設定登録されたものである。
（４０）第２５３９２９３号商標は、「ＰＬＵＳ」の欧文字を書してなり、第１１類「電気機械器具、電気通信機械器具、電子応用機械器具（医療機械器具に属するものを除く）電気材料」を指定商品として、昭和５９年６月１６日に登録出願、平成５年３月３１日に設定登録されたものである。
（４１）第２５９００５９号商標は、やや図案化された「ＰＬＵＳ」の欧文字と「プラス」の文字を上下二段に書してなり、第２４類「楽器、演奏補助品、蓄音機、レコ―ド、これらの部品及び附属品」を指定商品として、昭和６１年２月２４日に登録出願、平成５年１０月２９日に設定登録されものである。
（４２）第２５９５７８９号商標は、「プラス」の片仮名文字を書してなり、第２４類「おもちや、人形、娯楽用具、運動具、釣り具」を指定商品として、平成３年８月２２日に登録出願、平成５年１１月３０日に設定登録されものである。
（４３）第２６０８８７７号商標は、「プラス」の片仮名文字を書してなり、第１０類「理化学機械器具（電子応用機械器具に属するものを除く）その他本類に属する商品」を指定商品として、平成３年８月２２日に登録出願、平成５年１２月２４日に設定登録されものである。
（４４）第２６１５７２７号商標は、「プラス」の片仮名文字を書してなり、第９類「産業機械器具、動力機械器具（電動機を除く）風水力機械器具、事務用機械器具（電子応用機械器具に属するものを除く）その他の機械器具で他の類に属しないもの、これらの部品および附属品（他の類に属するものを除く）機械要素」を指定商品として、平成３年８月２２日に登録出願、平成６年１月３１日に設定登録されものである。
（４５）第２７０６６２１号商標は、「プラス」の片仮名文字を書してなり、第１１類「電気機械器具、電気通信機械器具、その他本類に属する商品」を指定商品として、平成３年８月２２日に登録出願、平成７年４月２８日に設定登録されものである。
（４６）第４１０３５３４号商標は、「ＰＬＵＳ」の欧文字を書してなり、第１５類「楽器、演奏補助品、音さ」を指定商品として、平成８年２月１４日に登録出願、同１０年１月１６日に設定登録されものである。
（４７）第４１３４６９１号商標は、「ＰＬＵＳ」の欧文字を書してなり、第９類「レコード、メトロノーム」を指定商品として、平成８年２月１４日に登録出願、同１０年４月１０日に設定登録されものである。
（４８）第４２４４３６３号商標は、「ＰＬＵＳ」の欧文字を書してなり、第１６類「紙類，紙製包装用容器，家庭用食品包装フィルム，紙製ごみ収集用袋，プラスチック製ごみ収集用袋，衛生手ふき，紙製タオル，紙製手ふき，紙製ハンカチ，紙製テーブルクロス，紙製ブラインド，紙製のぼり，紙製旗，荷札，印刷物，書画，写真，写真立て，文房具類（「昆虫採集用具」を除く。），昆虫採集用具，事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，封ろう，観賞魚用水槽及びその附属品」を指定商品として、平成６年７月２１日に登録出願、同１１年２月２６日に設定登録されものである。
（以下、（１）ないし（４８）の引用商標をまとめて「引用各商標」という。）
　
３．当審の判断
　本願商標は、「でんわぷらす」の文字を標準文字をもって一体的に表現されていて、これに相応して生じる「デンワプラス」の称呼もよどみなく一連に称呼し得るものである。そして、たとえ、構成中の「でんわ」の文字部分が「電話機によって通話すること」または「電話機」の略として理解される語であるとしても、本願商標のかかる構成においては、両語が軽重、主従の関係にあるとはいえず、「でんわ」と「ぷらす」の二つの文字部分に分け、「ぷらす」の文字部分より生じる称呼のみをもって取引されるような格別の事情があるものとはいい難く、むしろ、構成全体をもって一体不可分の造語と認識し、把握されるとみるのが自然である。
　そうとすれば、本願商標は、その構成文字全体に相応して、「デンワプラス」の称呼のみを生じるものと判断するのが相当である。
　他方、引用各商標は、前記のとおりの構成よりなるものであるから、その構成文字に相応して「プラス」の称呼を生じること明らかである。そして「ＰＬＵＳ」及び「プラス」は、「加えること」の意味を有する英語及びカタカナ語として一般に親しまれたものであるから、「加えること」の観念を生ずるものである。
　そこで、本願商標より生じる「デンワプラス」の称呼と、引用各商標より生じる「プラス」の称呼を比較するに、両者は、その構成音数が著しく異なるものであるから、互いに相紛れるおそれのないものである。
　また、両者は外観においては、判然と区別し得る別異の商標であり、かつ、観念においても、上記のとおりであるから、比較すべくもないものである。
　したがって、本願商標は商標法第４条第１項第１１号に該当するとした原査定の拒絶の理由は妥当でなく、その理由をもって本願を拒絶すべきものとすることはできない。
　その他、本願について拒絶をすべき理由を発見しない。
　よって、結論のとおり審決する。